(57)【要約】【課題】風路を切り替える際に、駆動装置の駆動音が騒音になりにくく、駆動装置のメンテナンスも容易な熱交換換気装置を得ること。【解決手段】本発明は、外郭を構成する箱体１と、箱体１内に収納された熱交換器１１と、給気風路５と、排気風路８と、バイパス風路と、給気風路５に設けられた給気用送風機９と、排気風路８に設けられた排気用送風機１０と、を有する熱交換換気装置２０であって、バイパス風路を塞ぐ位置と熱交換器１１よりも下流で排気風路８を塞ぐ位置とに移動可能とされた風路切換ダンパー１３と、風路切換ダンパー１３を移動させる駆動装置１４と、をさらに有し、駆動装置１４は、排気風路８における熱交換器１１よりも下流であって風路切換ダンパー１３よりも上流に設けられている。【選択図】図３
2010276249.tif 000002
【特許請求の範囲】
【請求項１】
外郭を構成する箱体と、前記箱体内に収納された熱交換器と、前記箱体内に形成されて外気吸込口から前記熱交換器を介して室内吹出口に通じる給気風路と、前記箱体内に形成されて室内吸込口から前記熱交換器を介して排気吹出口に通じる排気風路と、前記室内吸込口から前記箱体内に取り込まれた空気を、前記熱交換器を介さずに前記排気吹出口に向けて通過可能とするバイパス風路と、前記給気風路に設けられた給気用送風機と、前記排気風路に設けられた排気用送風機と、を有する熱交換換気装置であって、
前記バイパス風路を塞ぐ位置と前記熱交換器よりも下流で前記排気風路を塞ぐ位置とに移動可能とされた風路切換ダンパーと、
前記風路切換ダンパーを移動させる駆動装置と、をさらに有し、
前記駆動装置は、前記排気風路における前記熱交換器よりも下流であって前記風路切換ダンパーよりも上流に設けられていることを特徴とする熱交換換気装置。
【請求項２】
前記排気風路における排気送風機よりも上流側と前記バイパス風路とを同時に覆うエアーフィルターをさらに有することを特徴とする請求項１に記載の熱交換換気装置。
【請求項３】
外郭を構成する箱体と、前記箱体内に収納された熱交換器と、前記箱体内に形成されて外気吸込口から前記熱交換器を介して室内吹出口に通じる給気風路と、前記箱体内に形成されて室内吸込口から前記熱交換器を介して排気吹出口に通じる排気風路と、前記外気吸込口から前記箱体内に取り込まれた空気を、前記熱交換器を介さずに前記室内吹出口に向けて通過可能とするバイパス風路と、前記給気風路に設けられた給気用送風機と、前記排気風路に設けられた排気用送風機と、を有する熱交換換気装置であって、
前記バイパス風路を塞ぐ位置と前記熱交換器よりも上流で前記給気風路を塞ぐ位置とに移動可能とされた風路切換ダンパーと、
前記風路切換ダンパーを移動させる駆動装置と、をさらに有し、
前記駆動装置は、前記給気風路における前記熱交換器よりも上流であって前記風路切換ダンパーよりも下流に設けられていることを特徴とする熱交換換気装置。
【発明の詳細な説明】
【技術分野】
【０００１】
本発明は、給気流と排気流との間で熱交換を行いながら換気することができる熱交換換気装置に関する。
【背景技術】
【０００２】
従来、室内の空気を室外に排気するための排気風路と、室外の空気を室内に給気するための給気風路と、熱交換器を備え、排気風路を通過する排気流と給気風路を通過する給気流との間で熱交換させて熱交換換気を行う熱交換換気装置がある。このような熱交換換気装置では、排気流と給気流とが熱交換器を通過する際に、排気流と給気流との間で熱交換が行われる。
【０００３】
また、排気風路および給気風路とは別にバイパス風路を設けた熱交換換気装置がある。バイパス風路を設けた熱交換換気装置では、バイパス風路を通して室内の空気を排気することで、熱交換器を介さずに室内の空気を排気させることができ、すなわち、バイパス風路を設けることで、熱交換を行わない普通換気を行うことが可能となる。
【０００４】
このような熱交換換気装置では、熱交換換気と普通換気とを切り替えるために、室内の空気が通過する風路を切り替えるためのダンパーや、そのダンパーを作動させるための駆動装置が設けられる。風路を切り替えるためのダンパーおよび駆動装置を熱交換換気装置に設ける技術が、例えば特許文献１や特許文献２に開示されている。
【先行技術文献】
【特許文献】
【０００５】
【特許文献１】特許第３６６１３９４号公報
【特許文献２】特開２０００−１２１１２３号公報
【発明の概要】
【発明が解決しようとする課題】
【０００６】
しかしながら、上記従来の技術によれば、特許文献１に開示のものは、ダンパーを作動させるための駆動装置をバイパス風路に設けている。また、特許文献２に開示のものは、普通換気を行う場合に、ダンパーを作動させるための駆動装置がバイパス風路に露出するように設けられている。そのため、普通換気を行っている場合に駆動装置が作動すると、駆動装置の駆動音が室内に直接伝わりやすく、駆動装置の駆動音が騒音になりやすいという問題があった。また駆動装置の故障などの際は、熱交換器を取り外すとともに、バイパス風路ごと全て取り外してからでなければ駆動装置の交換を行えないため、交換作業が面倒で熱交換換気装置のメンテナンス性を低下させているという問題があった。
【０００７】
本発明は、上記に鑑みてなされたものであって、風路を切り替える際に、駆動装置の駆動音が騒音になりにくく、駆動装置のメンテナンスも容易な熱交換換気装置を得ることを目的とする。
【課題を解決するための手段】
【０００８】
上述した課題を解決し、目的を達成するために、本発明は、外郭を構成する箱体と、箱体内に収納された熱交換器と、箱体内に形成されて外気吸込口から熱交換器を介して室内吹出口に通じる給気風路と、箱体内に形成されて室内吸込口から熱交換器を介して排気吹出口に通じる排気風路と、室内吸込口から箱体内に取り込まれた空気を、熱交換器を介さずに排気吹出口に向けて通過可能とするバイパス風路と、給気風路に設けられた給気用送風機と、排気風路に設けられた排気用送風機と、を有する熱交換換気装置であって、バイパス風路を塞ぐ位置と熱交換器よりも下流で排気風路を塞ぐ位置とに移動可能とされた風路切換ダンパーと、風路切換ダンパーを移動させる駆動装置と、をさらに有し、駆動装置は、排気風路における熱交換器よりも下流であって風路切換ダンパーよりも上流に設けられていることを特徴とする。
【発明の効果】
【０００９】
本発明によれば、駆動装置が、熱交換器よりも下流であって風路切換ダンパーよりも上流に設けられているので、排気流に熱交換器を通過させる熱交換換気時も、排気流にバイパス風路を通過させる普通換気時も、駆動装置の駆動音は、必ず熱交換器または風路切換ダンパーを介して室内に伝わることとなり、熱交換器または風路切換ダンパーの遮音効果によって駆動音を軽減して室内に伝えることができ、居住者にとって不快な騒音となりにくくすることができるという効果を奏する。
【００１０】
また、駆動装置は排気風路中に設けられているので、熱交換器を取り外すだけで駆動装置にアクセスすることが可能となる。したがって、熱交換器を取り外せば、駆動装置の故障などによる交換も容易に行うことができるので、熱交換換気装置のメンテナンス性を向上させることができる。
【図面の簡単な説明】
【００１１】
【図１】図１は、本発明の実施の形態１に係る熱交換換気装置の平面断面図である。
【図２】図２は、図１に示す熱交換換気装置のＡ−Ａ断面図である。
【図３】図３は、図１に示す熱交換換気装置のＢ−Ｂ断面図であって、バイパス風路を塞ぐ位置に風路切換ダンパーを移動させた状態を示す図である。
【図４】図４は、図１に示す熱交換換気装置のＢ−Ｂ断面図であって、排気風路を塞ぐ位置に風路切換ダンパーを移動させた状態を示す図である。
【発明を実施するための形態】
【００１２】
以下に、本発明に係る熱交換換気装置の実施の形態を図面に基づいて詳細に説明する。なお、この実施の形態によりこの発明が限定されるものではない。
【００１３】
実施の形態１．
図１は、本発明の実施の形態１に係る熱交換換気装置の平面断面図である。図２は、図１に示す熱交換換気装置のＡ−Ａ断面図である。図３は、図１に示す熱交換換気装置のＢ−Ｂ断面図である。熱交換換気装置２０は、天井裏の空間に吊り固定され、室内の空気を外部に排気し、外気を室内に給気する。熱交換換気装置２０は、箱体１、給気送風機９、排気送風機１０、熱交換器１１、風路切換ダンパー１３、モータ（駆動装置）１４、パネル１７、エアーフィルター１５を有して構成される。
【００１４】
箱体１は、熱交換換気装置２０の外殻を構成する。箱体１には、外気を箱体１内に取り入れるための外気吸込口３と、箱体１内に取り入れた室内の空気を吹き出すための排気吹出口７と、パネル１７を取り付けるためのパネル取付口１ａが形成されている。外気吸込口３から取入れられた外気は、パネル取付口１ａから吹き出される。また、パネル取付口１ａから室内の空気が箱体１内に取入れられる。
【００１５】
箱体１内には、外気吸込口３からパネル取付口１ａに至る給気風路５と、パネル取付口１ａから排気吹出口７に至る排気風路８と、が互いの一部を交差させて形成される。給気送風機９は、給気風路５内に配置されて、作動時に外気吸込口３からパネル取付口１ａに向かう給気流を発生させる。排気送風機１０は、排気風路８内に配置されて、作動時にパネル取付口１ａから排気吹出口７に向かう排気流を発生させる。
【００１６】
熱交換器１１は、箱体１内に収納されており、パネル取付口１ａから着脱可能となっている。熱交換器１１は、風路を確保する多数の波形板と伝熱性を有する多数の平板とが交互に積層され、角柱形状を呈している。熱交換器１１は、波形板をその波形形成方向を９０°変えて交互に介挿させることによって、内部に直交する２種類の風路が形成される。熱交換器１１が箱体１内の給気風路５と排気風路８との交差部分に収納されることで、熱交換器１１の２種類の風路は、一方の風路が給気風路５の一部となり、他方の風路が排気風路８の一部となる。すなわち、熱交換器１１が箱体１内に収納されることで、給気風路５と排気風路８とが互いに独立する。ここで、熱交換器１１を通過する際に、給気流と排気流との間で熱交換がなされるので、換気による空調負荷を減らすことができる。
【００１７】
箱体１内には、バイパス風路１２が形成される。バイパス風路１２は、排気風路８における熱交換器１１よりも上流部分と下流部分とを結ぶように形成される。これにより、熱交換器１１を通過せずにパネル取付口１ａと排気吹出口７とを結ぶ風路が形成される。
【００１８】
風路切換ダンパー１３は、排気風路８の熱交換器１１よりも下流部分とバイパス風路１２とが交わる位置に設けられている。風路切換ダンパー１３は、排気風路８を塞ぐ位置と、バイパス風路１２を塞ぐ位置とに移動可能とされて箱体１内に設けられている。
【００１９】
モータ１４は、排気風路８における熱交換器１１よりも下流であって風路切換ダンパー１３よりも上流、すなわち熱交換器１１と風路切換ダンパー１３との間に設けられている。モータ１４は、排気風路８を塞ぐ位置と、バイパス風路１２を塞ぐ位置とに風路切換ダンパー１３を移動させる駆動装置として機能する。
【００２０】
図４は、図１に示す熱交換換気装置のＢ−Ｂ断面図であって、排気風路８を塞ぐ位置に風路切換ダンパー１３を移動させた状態を示す図である。なお、図３は、バイパス風路１２を塞ぐ位置に風路切換ダンパー１３を移動させた状態を示す。
【００２１】
図３に示すように、バイパス風路１２を塞ぐ位置に風路切換ダンパー１３を移動させた場合には、排気流が熱交換器１１を通過する、すなわち排気流と給気流との間で熱交換が行われる熱交換換気が行われる。また、図４に示すように、排気風路８を塞ぐ位置に風路切換ダンパー１３を移動させた場合には、排気流が熱交換器１１を通過しない、すなわち排気流と給気流との間で熱交換が行われない普通換気が行われる。
【００２２】
ここで、モータ１４が、熱交換器１１と風路切換ダンパー１３との間に設けられているので、熱交換換気時も普通換気時も、モータ１４の駆動音は、必ず熱交換器１１または風路切換ダンパー１３を介して室内に伝わることとなる。したがって、モータ１４の駆動音は、熱交換器１１または風路切換ダンパー１３の遮音効果によって軽減されて室内に伝わるため、居住者にとって不快な騒音となりにくくすることができる。例えば、モータ１４をバイパス風路１２に設けた場合の駆動音による騒音が４８ｄＢ（Ａ）であるところ、本実施の形態１のように風路切換ダンパー１３と熱交換器１１との間にモータ１４を設けることで４１ｄＢ（Ａ）とすることができ、７ｄＢ（Ａ）の低減効果を得ることができる。
【００２３】
また、モータ１４は排気風路中に設けられているので、熱交換器１１を取り外すだけでモータ１４にアクセスすることが可能となる。したがって、熱交換器１１を取り外せば、モータ１４の故障などによる交換も容易に行うことができるので、熱交換換気装置２０のメンテナンス性を向上させることができる。
【００２４】
なお、本実施の形態１では、普通換気時に排気流が熱交換器１１を通過しないようにバイパス風路１２や風路切換ダンパー１３を設けたがこれに限られない。例えば、普通換気時に給気流が熱交換器１１を通過しないように、すなわち給気風路５における熱交換器１１の上流部分と下流部分とを結ぶようにパイパス風路を設けてもよい。この場合、給気風路５における熱交換器１１よりも上流に風路切換ダンパー１３を設け、給気風路５における熱交換器１１よりも上流であって風路切換ダンパー１３よりも下流にモータ１４を設ければ、騒音低減の効果を得ることができる。また、給気風路５側と排気風路８側の両方にバイパス風路を設けて、普通換気時には給気流も排気流も熱交換器１１を通過しないように構成してももちろん構わない。この場合は、給気風路５側と排気風路８側の両方に、風路切替ダンパー１３とモータ１４を設ければよい。
【００２５】
パネル１７は、箱体１のパネル取付口１ａに着脱可能に取り付けられる。パネル１７には、室内吸込口１７ａと室内吹出口１７ｂとが形成されている。パネル１７が箱体１に取り付けられた状態で、室内吸込口１７ａは排気風路８と連通し、室内吹出口１７ｂは給気風路５と連通する。すなわち、室内の空気は室内吸込口１７ａから吸い込まれて箱体１内で排気流となり、箱体１内に形成された給気流は室内吹出口１７ｂから吹き出される。また、パネル取付口１ａは、天井面１８に形成された開口１８ａを覆う化粧パネルとしても機能する。
【００２６】
エアーフィルター１５は、箱体１のパネル取付口１ａに設けられる。エアーフィルター１５がパネル取付口１ａに設けられるので、熱交換換気の場合も普通換気の場合も給気流および排気流に含まれる塵等を排気送風機１０よりも上流でエアーフィルター１５に集塵させることができるので、塵の堆積によって排気送風機１０に故障等が発生するのを抑えることができる。
【産業上の利用可能性】
【００２７】
以上のように、本発明にかかる熱交換換気装置は、天井裏に据え付けられる換気装置として有用であり、特に、熱交換換気と普通換気との切り換えが可能な換気装置に適している。
【符号の説明】
【００２８】
１  箱体
３  外気吸込口
５  給気風路
７  排気吹出口
８  排気風路
９  給気送風機
１０  排気送風機
１１  熱交換器
１２  バイパス風路
１３  風路切換ダンパー
１４  モータ
１５  エアーフィルター
１７  パネル
１７ａ  室内吸込口
１７ｂ  室内吹出口
１８  天井面
１８ａ  開口
２０  熱交換換気装置
【図１】
2010276249.tif 000003
【図２】
2010276249.tif 000004
【図３】
2010276249.tif 000005
【図４】
2010276249.tif 000006